(57)【要約】【課題】  使用時に箱の側面と下面に設けた切込線に沿って箱を２分し、かつ２分した各小箱を上面板に設けた折目線を介して略Ｖ形に折り曲げ、特別な支持用具を用いずに、ペーパースタンドとして使用することを可能にした衛生用紙収納箱を提供する。【解決手段】  箱の上面板に衛生用紙取出口を形成すると共に、箱の左右側面板と下面板とにわたって、該箱を２分するスタンド用オープン切込線３０ａ、３０ｂを設け、上面板に前記左右側面板に設けた切込線３０ａ、３０ｂの端部を結んだ位置にスタンド用スタンド形成用折目線３１を設け、使用時に、前記スタンド形成用折目線３１を介して衛生用紙収納箱を２つ折りし、ペーパースタンドとして使用可能にした。【選択図】      図１
2006224993.tif 000002
【特許請求の範囲】
【請求項１】
内部に複数組の衛生用紙が積層状態で収納された直方体形状の衛生用紙収納箱において、
箱の上面板に衛生用紙取出口を形成すると共に、箱の左右側面板と下面板とにわたって、該箱を２分するためのスタンド用オープン切込線を設け、さらに該箱の上面板に前記左右側面板に設けた切込線の終端部を結んでスタンド形成用折目線を設け、
使用時に、前記上面板に設けたスタンド形成用折目線を介して衛生用紙収納箱を２つ折りし、ペーパースタンドとして使用可能にした衛生用紙収納箱。
【請求項２】
前記下面板に、箱内部に収納された衛生用紙を押上げることができる一組の押込み片を設けた請求項１に記載の衛生用紙収納箱。
【請求項３】
前記押込み片の自由端が略円弧状又は多角形状の切込線により形成され、また該押込み片の付け根に直線状折目線を設けたことを特徴とする請求項２に記載の衛生用紙収納箱。
【請求項４】
前記一方の押込み片の付け根側に、他方の押込み片の付け根側に向かって延びる一組の切込線とその一組の切込線の端部を結んだ折目線とを設けて、ペーパー保持片を形成したことを特徴とする請求項２又は３に記載の衛生用紙収納箱。
【請求項５】
前記衛生用紙収納箱の妻面と上面板がなす稜角部及び該妻面と下面板とがなす稜角部が面取りされていることを特徴とする請求項１〜４のいずれか一つに記載の衛生用紙収納箱。
【請求項６】
前記上面板に設けられた衛生用紙取出口の裏面に貼りつけられ、該取出口を覆う樹脂フィルムが、上面板に設けたスタンド形成用折目線の補強材となっている請求項１〜５のいずれか一つに記載の衛生用紙収納箱。
【請求項７】
前記左右側面板に設ける切込線は、該側面板の長手方向中心線に対し傾斜して、ほぼ４５度の角度に設定されていることを特徴とする請求項１〜６のいずれか一つに記載の衛生用紙収納箱。
【請求項８】
前記上面板に設けたスタンド形成用折目線により２つ折りにされた一方の小箱が他方の小箱を支えるように、略Ｖ形をなすように配置されることを特徴とする請求項１〜７のいずれか一つに記載の衛生用紙収納箱。
【発明の詳細な説明】
【技術分野】
【０００１】
本発明は、ティシュペーパー、ペーパータオル、ペーパーナプキン等の衛生用紙を収納した紙箱に関する。更に詳しく述べると、箱に設けた切込線により、使用時に箱体を割って、収納された紙を取出し可能とした衛生用紙収納箱に関する。
【背景技術】
【０００２】
ティシュペーパー、ペーパータオル、ペーパーナプキン等の衛生用紙は、家庭及び職場等で広く使われている。このような衛生用紙を収納した紙箱は、一般に、箱の上面中央部にスリットを形成した透明な樹脂フィルムを貼りつけた取出口が設けられている。ティシュペーパーは、通常、２枚一組となるように積層されて収納され、一組一組が継続して箱から取出せるようになっている。箱に収納されているティシュペーパーを引出して使用する時には、前記透明の樹脂フィルムを貼り付けた箱上面の取出口からペーパーが一組ずつ連続的に取出されるようになっている。そのため取出口を上にして、箱をテーブル、机等の平面上に置いて使用するのが普通である。
【０００３】
しかし、使用する場所や用途によっては、従来のように箱上面の取出口を上にしてテーブルに置いて使用するよりも、側面部や妻面部を下にして置く方が便利であったり、あるいは中身のペーパー量に応じて箱を小さくしたり、箱を分割する方がペーパーが取り出し易いことがある。そのため、使用状況に応じて誰でもが利用しやすい商品形状（デザイン）が求められている。
【０００４】
特許文献１は箱の妻面部に下して、ティシュペーパーのカートンが動かないように固定する技術を示したものである。特許文献２及び３に示すものは、箱の稜角部を面取りして、使用者や小児等が角部で傷つかないようにしたものである。さらに、特許文献４に示すものでは、少なくなったペーパーを取り出し易くするために、箱の高さ方向の略中央部に、水平方向のミシン目または切込線を入れて、箱体を上下に分離可能にした技術を示したものである。そして特許文献５は、底に押込み機構を設けて箱内の少なくなったペーパーを押上げて取り出し易くする技術が開示されている。
また、非特許文献１には、箱の両側面に切れ目線を設け後面に折罫線を設けて、箱体を開封する一般的な包装技術が示されている。
【０００５】
【特許文献１】特開平９−１６９３７０号公報
【特許文献２】実用新案登録第３０００７８８号公報
【特許文献３】実用新案登録第３０９４０８５号公報
【特許文献４】実開平６−３９７８０号公報
【特許文献５】実公昭５７−５７０２５号公報
【非特許文献１】特許庁編周知・慣用技術集（包装産業）昭和５３．１２．２０発行第２９３頁
【発明の開示】
【発明が解決しようとする課題】
【０００６】
本発明は、衛生用紙が収納されている直方体の紙箱を、使用時に、特別な用具を用いずに、ペーパースタンドとして使用することを可能にした衛生用紙収納箱を提供することである。
【課題を解決するための手段】
【０００７】
上記課題を解決するために、本発明は次のような手段を提案する。すなわち本発明の第１は、
内部に複数組の衛生用紙が積層状態で収納された直方体形状の衛生用紙収納箱において、
箱上面板に衛生用紙取出口を形成すると共に、箱の左右側面板と下面板とにわたって、該箱を２分するためのスタンド用オープン切込線を設け、さらに該箱の上面板に前記左右側面板に設けた切込線の終端部を結んでスタンド形成用折目線を設け、
使用時に、前記上面板に設けたスタンド形成用折目線を介して衛生用紙収納箱を２つ折りし、ペーパースタンドとして使用可能にした衛生用紙収納箱である。スタンド形成用折目線は、直線状でも、曲線状に形成してもよい。
【０００８】
本発明の第２は、
前記下面板に、箱内部に収納された衛生用紙を押上げることができる一組の押込み片を設けた第１の発明に記載の衛生用紙収納箱である。
【０００９】
本発明の第３は、
前記押込み片の自由端が略円弧状又は多角形状の切込線により形成され、また押込み片の付け根に直線状折目線を設けたことを特徴とする第２の発明に記載の衛生用紙収納箱である。
【００１０】
本発明の第４は、
前記一方の押込み片の付け根側に、他方の押込み片の付け根側に向かって延びる一組の切込線とその一組の切込線の端部を結んだ折目線とを設けて、ペーパーの保持片を形成した第２の発明又は第３の発明に記載の衛生用紙収納箱である。
【００１１】
本発明の第５は、
前記衛生用紙収納箱は、妻面と上面板及び妻面と下面板とがなす箱の稜角部が面取りされていることを特徴とする第１〜４の発明のいずれか一つに記載の衛生用紙収納箱である。
【００１２】
本発明の第６は、
前記上面板に設けられた衛生用紙取出口の裏面に貼りつけられ、該取出口を覆う樹脂フィルムが、上面板に設けたスタンド形成用折目線の補強材となっている第１〜５の発明のいずれか一つに記載の衛生用紙収納箱である。
【００１３】
本発明の第７は、
前記左右側面板に設ける切込線は、該側面板の長手方向中心線に対し傾斜して、ほぼ４５度の角度に設定されていることを特徴とする第１〜６の発明のいずれか一つに記載の衛生用紙収納箱である。
【００１４】
本発明の第８は、
前記箱上面板に設けたスタンド形成用折目線により２つ折りにされた一方の小箱が他方の小箱を支えるように、略Ｖ形をなすように配置されることを特徴とする第１〜７の発明のいずれか一つに記載の衛生用紙収納箱である。
【００１５】
本発明でいう「切込線」という言葉は使用時にブランクやシートを切り取り易くした線を意味し、切れ目と繋ぎ部とからなるミシン目として形成される。切れ目の間隔は均等でも非均等でもよい。また、ミシン目は一重でも二重のミシン目（ダブルミシン線と言われる）でもよく、二重のミシン目は内側のミシン目と外側のミシン目が千鳥状配置となっていてもよい。また、「折目線」はブランクやシートを折り曲げたり折り畳み易くした線を意味し、筋押ししたものや、ミシン目として形成される。なお本明細書でいう「側面」とは、箱の長さ方向の稜と高さ方向の稜とで囲まれた「長側面」を言い、「妻面」とは幅方向の稜と高さ方向の稜とで囲まれた「短側面（端面ということがある）」を意味している。
【発明の効果】
【００１６】
第１の発明の衛生用紙収納箱は、箱の上面板に衛生用紙取出口を形成すると共に、箱の左右側面板と底となる下面板とにわたって、該箱を２分するスタンド用オープン切込線を設け、さらに該箱の上面板に前記左右側面板に設けた切込線の終端部を結んでスタンド形成用折目線を設けたのである。この箱は、使用時に、前記取出口を上にして従来の箱と同様に使用できるだけでなく、前記切込線と折目線とにより箱体を略Ｖ字形に折り曲げて食卓上等でペーパースタンドとして簡単に使用できる効果がある。
上記のように箱を略Ｖ字形に折り曲げて使用すると、ペーパーの取出しも容易で便利である。さらに食事付きの各種のパーティー（会合）等でペーパーナプキン等のスタンドとして使用すれば、体裁もよい。
【発明を実施するための最良の形態】
【００１７】
次に、本発明の実施形態について説明する。
本発明を実施するための好ましい形態の一つは、一般家庭でよく使用されるティシュペーパー、ペーパータオル(キッチンタオル等)の衛生用紙を収納する直方体形状のカートンである。この衛生用紙を収納するカートンは、通例、箱の上面に、ミシン目等の切込線によって形成される取出口を有している。カートンに収納される衛生用紙は、ティシュペーパー、ペーパータオル(キッチンタオル、キッチンシート、あくとりシートと呼ばれる主にキッチンで使用されるペーパーを含んでいる)、トイレットペーパー（但しロールを除く）、ワッティング(紙綿)、などの使い捨て紙である(紙パルプ技術便覧第５版、第４５９頁参照、１９９２年１月３０日発行、紙パルプ技術協会編集・発行)。本発明においては、これらの使い捨て紙の総称として、衛生用紙と言う語句を用いている。一般に、「ティシュペーパー」と言う語句は、トイレットペーパーなどの使い捨て紙全般を指す語句として用いる場合も多いが、狭義では、顔ふき紙、化粧紙などと称され、通常ドライクレープを有した吸水性のある衛生用紙である。なお、「ペーパータオル」は、ふきん、タオルの代用品としてパルプ繊維を主原料として製造されるペーパーであり、このうち、主にキッチンにおいて使用されるものをキッチンペーパーと称している。
【００１８】
本実施形態のカートンは、木材パルプ、古紙などを原料とする板紙や段ボールを主体に形成される箱体であって、箱の内部に前記の衛生用紙を収納するほぼ直方体の紙箱である。使用時に箱の側面と下面に設けた切込線に沿って箱を２分し、かつ２分した各小箱を箱の上面に設けた折目線を介して略Ｖ形に折り曲げ、特別な用具を用いずに、ペーパースタンドとして使用する。
以下本発明の実施形態を、図面を参照しながら説明するが、本発明はこれに限定されるものではない。
【実施例】
【００１９】
図は本発明の実施形態の一例であって、図１は本発明の紙箱を２つ折りして、ペーパースタンドとして使用した場合の例を示した斜視図である。図２の（イ）は、未使用状態の本発明の紙箱を示した斜視図、同図の（ロ）は、その箱をひっくり返して底面側を示している。図３は、図１に示したスタンドとして使用する場合の箱の側面図である。図４は、箱の展開図である。
図４に示すように本発明の箱は、厚紙を所要の展開形状に打ち抜いて押罫により折れ曲がり易く形成した折目線や、使用時に切取り易くした切込線を入れたカートンブランクを形成し、このカートンブランクを折目線を介して直方体形状に組み立て使用する。
＜カートンブランクの構成＞
【００２０】
先ず、カートンブランクの全体構成を説明する。符号１と２は幅の広い長方形をした上面板と下面板であり、３と４は幅の狭い長方形をした左右の側壁を形成する側面板である。これらは折目線を介して交互に連接されている。また、符号５は上面板１の一方の側縁に連接した接合片を示している。上面板１と下面板２及び側面板３と４は、前記接合片５を介してサックマシン等により角筒状に組立て得るようになっている。
符号６と７は、上面板１と下面板２と両端縁に連接した上面側外フラップと下面側外フラップであり、８と９は側面板３と４の両端縁に連接した内フラップである。なおマシンにより箱体を組立てる時に、内フラップ８と９の外面上に前記外フラップ６と７を折り重ねて、本体の両端開口面（妻面）を封緘するため、前記外フラップ７は外フラップの先端端側に切込線１４を形成して、その切込線１４の外側に接合代１０が連接され、この接合代１０を介して外フラップ６と７の先端部が互いに重ねられて接着される。なお上面側外フラップ６の長さは箱高さの半分よりも若干大きく設定され、同じく下面側外フラップ７の長さも箱高さの半分よりも若干大きく設定されている。
この構成により、接着剤を介して前記上下両外フラップ６、７及び左右内フラップ８、９の重合部分を接合して、箱体の両端の端壁（妻面）を閉塞することができるようになっている。
接合代１０は、外フラップ６の先端部の切込線１４により区切られた接着部を意味しており、該切込線１４は下面板または上面板のいずれかに連接する外フラップの一方のみに設けられている。
また、図４に示すブランクは、側面板３及び４の４隅部（コーナ部）が面取りされた結果、側面板３と４がそれぞれ８角形に形成されている。また上面板１と下面板２と両端縁に連接した上下部外フラップ６と７の基部には、細幅で平行状の折れ線６ａと７ａを形成することにより上下の面取部６ｂ、７ｂを設けたものである。
＜ティシュペーパー取出口と押上機構＞
【００２１】
次に、箱上面のティシュペーパー取出口と箱底面に設けるティシュペーパーの押上機構について説明する。
ティシュペーパーの取出口２０は、少なくとも上面板1の中央部長手方向に設けられている。この取出口２０は、詳細には取出口の輪郭形状に沿ったミシン目状の切込線２２により囲まれて形成されている。切込線２２により囲まれた内部が開封片２１となり、その開封片２１が使用開始時に切込線２２に沿って取除かれて、内部に収容されたティシュペーパーを取出すための開口部が形成される。勿論、この取出口の形状と大きさは、図示例に限定されるものではない。
前記取出口２０の裏側には、図示を省略した樹脂フィルムｆが貼り付けられて取出口の全体を被覆している。このフイルムの中央部に形成されたスリットが取出口２０の略中心に来るようになっていて、そのスリットから手指を入れて箱内のティシュペーパーを引出して取出すことができるようになっている。
【００２２】
下面板２の略中央には、箱内のティシュペーパーの残量が少なくなったとき、そのティシュペーパーを押上げて取出口２０から取出しやすくするための押込み片２３ａ、２３ｂを上下に形成している。押込み片２３ａ、２３ｂは次のような折目線と切込線とに囲まれて形成している。すなわち図４に示した下面板２の中央部側には該板の横軸と平行に、押込み片の付け根部になる直線状の折目線２４ａ、２４ｂが形成され、それぞれの折目線２４ａ、２４ｂを挟んで互いに反対向きに切り開くことができる切込線２５ａ、２５ｂが前記折目線の両端を結んで形成されている。図示例の上方の押込み片２３ａの自由端は、略円弧状又は多角形状に形成され、下方の押込み片２３ｂのそれは略四角形状に形成されているが、これらの押込み片は上下対称に形成することも可能であるが、図示例のように非対称形でもよい。
一方、下方の押込み片２３ｂの付け根側には、他方の押込み片２３ａの付け根側に向かって延びる一組の切込線２６ａ，２６ｂを設けている。その一組の切込線の終端部を結んだ位置に、折目線２４ａ、２４ｂと平行な折目線２７を設けて、ペーパー保持片２８を形成している。
＜ペーパースタンド用オープン機構＞
【００２３】
次に箱を２分割して、ペーパースタンドとして使用する際のオープン用切込線について説明する。図４の左右側面板３と４の中央部には、該側面板の長手方向中心線に対して略４５度の角度に傾斜して設定された、該箱を２分するためのスタンド用オープン切込線３０ａ，３０ｂが設けられている。該切込線３０ａ，３０ｂの一端は、さらに側面板と下面板との境界線（稜線）から水平方向に延び、上方の押込み片２３ａを形成する略円弧状の切込線２５ａの付け根に至るように設けられている。
一方、前記切込線３０ａ，３０ｂの他端は、側面板と上面板との境界線（稜線）から水平方向に延び、該箱の上面板に設けた水平方向のスタンド形成用折目線３１に結ばれている。なお図示のスタンド形成用折目線３１は、折り曲げを容易にするためにミシン目状の切れ目より形成されているが、前記上面板の衛生用紙取出口の裏面に貼りつけられた樹脂フィルムｆが、そのスタンド形成用折目線の補強材となっているので、上面板が折目線から破断するのを防止できる。前述したが、スタンド形成用折目線は直線状でも曲線状であってもよい。
【００２４】
図２の（イ）と（ロ）は図４に示すブランクを組み立てた箱の斜視図である。組立て時に、側面板３及び４の４隅の面取りされたコーナ部の上に、上下部外フラップ６と７の基部に設けた上下の面取部６ｂ、７ｂを折目線６ａ、７ａに沿って折り曲げて狭幅の平面部を形成すると、箱を手で掴んで持つたときに、手指に当る感触がやわらかく、また使用者や小児等が角部で傷つかないようにした箱体を提供できる。
【００２５】
図５は本発明の箱の変形例を示す展開図である。同図に示すブランクは、上面板と下面板の位置が入れ替わっているだけでなく、押込み片２３ａ、２３ｂが上下対称の形状に形成されている例である。それ以外の部分の構成は図４に示したものと同一である。
【００２６】
次に、本発明の箱をペーパースタンドとして使用する例を具体的に説明する。
図４に示すように、左右側面板３と４の中央部には、該側面板の長手方向中心線に対して略４５度の角度に傾斜して設定された、該箱を２分するためのスタンド用オープン切込線３０ａ，３０ｂが設けられており、また、下面板２の中央部側には該板の横軸と平行に、押込み片の付け根部になる直線状の折目線２４ａ、２４ｂが形成され、それぞれの折目線２４ａ、２４ｂを挟んで互いに反対向きに切り開くことができる押込み片の切込線２５ａ、２５ｂが前記折目線の両端を結んで形成されているから、先ず、前記左右側面板の切込線３０ａ，３０ｂと、下面板の切込線２５ａとを切り開いてから、箱の上面板に設けた水平方向のスタンド形成用折目線３１を介して、図１、図３に示すように箱を２つ折にしながら、略Ｖ形に折り曲げる。このとき、下方の押込み片２３ｂの付け根側から、上方の押込み片２３ａの付け根側に向かって延びる一組の切込線２６ａ，２６ｂを切り開き、折目線２７をヒンジとしてペーパー保持片２８を、２分した小箱の前方に引出せば、図３のように、ペーパー保持片２８を枕としてその上にペーパーを載せると、特別な支持用具を用いずに、ペーパースタンドとして使用することができる。このように箱をスタンドとして使用するときは、さらにペーパーの取出しも容易になり、かつ便利である。
また、食事の席や各種のパーティー（会合）等でペーパーナプキンスタンドとして使用すれば、体裁がよい。
なお箱体をＶ字型に折り曲げてペーパースタンドとして使用するときは、面取り部が箱体を安定よく固定できる効果を発揮する（図３参照）。さらにまた、本発明の箱は、衛生用紙取出口の裏面に貼付した樹脂フィルムが、上面板に設けた折目線の補強材となっているので、箱体をＶ字型に折り曲げてペーパースタンドとして使用するときに、折り曲げた左右の箱が分離し難いという効果を発揮する。
なお、２つ折にした箱をＶ形に折り曲げずに、図６のように平行に曲げて使用する場合もある。
さらに、図示の実施形態は、上面板１にスタンド形成用折目線３１を設けて、この折目線より箱体を２つ折りにした例であるが、左右の何れか一方の側面にスタンド形成用折目線を設け、残りの面にオープン用切込線を設けることで、本例と同じように箱体を２つ折りにして、一方の小箱が他方の小箱を支えるようにしてもよい（図示省略）。
また、ペーパースタンドとして使用する際、テーブル面に固定するため粘着材、面ファスナ、板状の磁石等の滑り止め手段を併用することも可能である。
【００２７】
なお、本発明の箱をペーパースタンドとして使用しない場合は、従来の箱と同様に取出口を上にして置いて使用することが可能である。図２参照。
【図面の簡単な説明】
【００２８】
【図１】本発明に係る箱を２つ折りしてペーパースタンドとして使用する例を示した斜視図である。
【図２】（イ）は、未使用状態の本発明の箱を示した斜視図であり、（ロ）はその箱をひっくり返して底面側を示した斜視図である。
【図３】図１に示した箱の側面図である。
【図４】本発明に係る箱の展開図である。
【図５】本発明の変形例を示す展開図である。
【図６】ペーパースタンドとして使用する他の例を示した側面図である。
【符号の説明】
【００２９】
１  上面板                ２  下面板            ３、４  側面板
５  接合片                
６  上面側外フラップ      ６ａ  折目線          ６ｂ  面取部
７  下面側外フラップ      ７ａ  折目線          ７ｂ  面取部  
８、９  内フラップ  
１０  接合代                        
１４  切込線（ミシン線）
２０  ティシュペーパー取出口
２１  開封片
２２  切込線
２３ａ，２３ｂ  押込み片
２４ａ、２４ｂ  直線状の折目線
２５ａ、２５ｂ  切込線
２６ａ，２６ｂ  切込線
２７  折目線
２８  ペーパー保持片
３０ａ、３０ｂ  スタンド用オープン切込線
３１  スタンド形成用折目線
ｆ  樹脂フイルム
【図１】
2006224993.tif 000003
【図２】
2006224993.tif 000004
【図３】
2006224993.tif 000005
【図４】
2006224993.tif 000006
【図５】
2006224993.tif 000007
【図６】
2006224993.tif 000008